(57)【要約】【課題】表示位置がずれた画像を表示することなく、使用者に対して違和感のない画像を提示できる携帯電子機器を提供すること。【解決手段】ＬＣＤ表示部２１と、所定の時間間隔毎に画像データを生成すると共に、画像データの生成毎に所定のタイミングで画像データに所定のデータを挿入する撮像部３１と、所定のデータが挿入された画像データを表示データに変換し、変換後の表示データをＬＣＤ表示部２１に表示する再生処理部３２とを有する。【選択図】図４
2011211355.tif 000002
【特許請求の範囲】
【請求項１】
筐体と、
前記筐体に配置された表示デバイスと、
前記筐体に配置され、所定の時間間隔毎に画像データを生成すると共に、前記画像データの生成毎に所定のタイミングで前記画像データに所定のデータを挿入する撮像部と、
前記所定のデータが挿入された前記画像データを表示データに変換し、前記変換後の表示データを前記表示デバイスに表示する処理部と、を有する携帯電子機器。
【請求項２】
前記撮像部は、前記所定のデータが挿入された前記画像データが前記表示データに変換されて前記表示デバイスに表示される場合に、前記表示データにおける前記所定のデータに対応するデータが、前記表示デバイスにおける所定の座標に表示されるように、前記所定の時間間隔毎に画像データを生成すると共に、前記画像データの生成毎に所定のタイミングで前記画像データに所定のデータを挿入する請求項１記載の携帯電子機器。
【請求項３】
前記所定の座標は、前記表示デバイスにおける端部に対応する座標である、ことを特徴とする請求項２記載の携帯電子機器。
【請求項４】
前記処理部は、前記表示データにおける前記所定の座標に対応するデータを解析し、当該解析の結果に基づいて、前記所定のデータが挿入された前記画像データから前記表示データへの変換を抑制する請求項２又は請求項３記載の携帯電子機器。
【請求項５】
前記撮像部は、前記所定の時間間隔毎に同期信号を生成し、
前記処理部は、前記所定のデータが挿入された前記画像データから前記表示データへの変換を抑制した後、前記同期信号に基づいて前記所定のデータが挿入された前記画像データと同期をとってから表示データに変換し、前記変換後の表示データを前記表示デバイスに表示する請求項４記載の携帯電子機器。
【請求項６】
前記撮像部は、生成された画像データを分析し、当該分析の結果に基づいて、前記画像データに挿入する前記所定のデータを異ならせる請求項１乃至請求項５のいずれか一項に記載の携帯電子機器。
【請求項７】
記憶部を備え、
前記処理部は、前記所定のデータが挿入された前記画像データを表示データに変換し、前記変換後の表示データを、前記表示デバイスに表示すると共に、前記表示データにおける前記所定のデータに対応するデータを、当該データの座標に隣接する座標に対応するデータに置換して、前記置換後の表示データを前記記憶部に記憶する請求項１乃至請求項６のいずれか一項に記載の携帯電子機器。
【発明の詳細な説明】
【技術分野】
【０００１】
本発明は、撮像部を有する携帯電子機器に関する。
【背景技術】
【０００２】
ＣＣＤ（ｃｈａｒｇｅ  ｃｏｕｐｌｅｄ  ｄｅｖｉｃｅ）等の撮像部により撮影した画像を、制御部でデジタルデータ（画像データ）に変換し、その後、内部のメモリに記憶し、随時、表示部（ＬＣＤ）に表示したり、記憶した画像データを外部の他の機器に転送する電子機器が知られている（例えば、特許文献１を参照。）。
【先行技術文献】
【特許文献】
【０００３】
【特許文献１】特開２００４−７６１１号公報
【発明の概要】
【発明が解決しようとする課題】
【０００４】
ここで、撮像部と制御部との間に、例えば、静電気等のノイズが侵入した場合、制御部は、画像データから表示データへの変換に遅延を生じる。そうすると、表示部に表示データが適切に表示されないおそれがあり、使用者が違和感を覚える場合があった。
【０００５】
本発明は、撮像部と制御部との間に、例えば、静電気等のノイズが侵入した場合でも、表示部に表示データが適切に表示されないことに伴う、使用者の違和感を低減することができる携帯電子機器を提供することを目的とする。
【課題を解決するための手段】
【０００６】
本発明に係る携帯電子機器は、上記課題を解決するために、筐体と、前記筐体に配置された表示デバイスと、前記筐体に配置され、所定の時間間隔毎に画像データを生成すると共に、前記画像データの生成毎に所定のタイミングで前記画像データに所定のデータを挿入する撮像部と、前記所定のデータが挿入された前記画像データを表示データに変換し、前記変換後の表示データを前記表示デバイスに表示する処理部を有する構成である。
【０００７】
また、携帯電子機器では、前記撮像部は、前記所定のデータが挿入された前記画像データが前記表示データに変換されて前記表示デバイスに表示される場合に、前記表示データにおける前記所定のデータに対応するデータが、前記表示デバイスにおける所定の座標に表示されるように、前記所定の時間間隔毎に画像データを生成すると共に、前記画像データの生成毎に所定のタイミングで前記画像データに所定のデータを挿入する構成が好ましい。
【０００８】
また、携帯電子機器では、前記所定の座標は、前記表示デバイスにおける端部に対応する座標である構成が好ましい。
【０００９】
また、携帯電子機器では、前記処理部は、前記表示データにおける前記所定の座標に対応するデータを解析し、当該解析の結果に基づいて、前記所定のデータが挿入された前記画像データから前記表示データへの変換を抑制する構成が好ましい。
【００１０】
また、携帯電子機器では、前記撮像部は、前記所定の時間間隔毎に同期信号を生成し、前記処理部は、前記所定のデータが挿入された前記画像データから前記表示データへの変換を抑制した後、前記同期信号に基づいて前記所定のデータが挿入された前記画像データと同期をとってから表示データに変換し、前記変換後の表示データを前記表示デバイスに表示する構成が好ましい。
【００１１】
また、携帯電子機器では、前記撮像部は、生成された画像データを分析し、当該分析の結果に基づいて、前記画像データに挿入する前記所定のデータを異ならせることが好ましい。
【００１２】
また、携帯電話機器では、記憶部を備え、前記処理部は、前記所定のデータが挿入された前記画像データを表示データに変換し、前記変換後の表示データを、前記表示デバイスに表示すると共に、前記表示データにおける前記所定のデータに対応するデータを、当該データの座標に隣接する座標に対応するデータに置換して、前記置換後の表示データを前記記憶部に記憶することが好ましい。
【発明の効果】
【００１３】
本発明によれば、一定条件下に表示部に表示データが適切に表示されないことに伴う、使用者の違和感を低減することができる。
【図面の簡単な説明】
【００１４】
【図１】携帯電話装置の外観斜視図である。
【図２】携帯電話装置を折畳んだ状態の斜視図である。
【図３】携帯電話装置の構成を示す機能ブロック図である。
【図４】撮像部と再生部の詳細な構成を示す機能ブロック図である。
【図５】撮像部を中心にした携帯電話装置の構成を示す機能ブロック図である。
【図６】表示データの一例を示す図である。
【図７】使用者に対して違和感のないプレビュー画像を提示するための処理の流れについての説明に供するフローチャートである。
【図８】同期ずれを生じている場合の一例についての説明に供する図である。
【発明を実施するための形態】
【００１５】
以下、本発明の実施の形態について説明する。図１は、本発明に係る携帯電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００１６】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１（表示デバイス）と、通話の相手側の音声を出力するスピーカ２２と、を備えて構成されている。
【００１７】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００１８】
また、図２は、携帯電話装置１を折畳んだ状態の斜視図を示している。操作部側筐体部２は、外平面部に、時計やメールの着信等が表示されるサブＬＣＤ表示部３０と、被写体を撮像する撮像部３１が備えられている。
【００１９】
また、図３は、携帯電話装置１の機能を示す機能ブロック図である。携帯電話装置１は、図３に示すように、操作部１１と、マイク１２と、メインアンテナ４０と、ＲＦ回路部４１と、ＬＣＤ制御部４２と、音声処理部４３と、メモリ４４と、制御部４５が操作部側筐体部２に備えられ、ＬＣＤ表示部２１と、スピーカ２２と、ドライバＩＣ２３と、サブＬＣＤ表示部３０と、撮像部３１が表示部側筐体部３に備えられている。
【００２０】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２１】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知する。
【００２２】
ＬＣＤ制御部４２は、制御部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２３】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２４】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２５】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２６】
制御部４５は、携帯電話装置１の全体を制御しており、中央処理装置（ＣＰＵ）等を用いて構成される。
【００２７】
ここで、被写体を撮像する撮像部３１の具体的な構成について説明する。撮像部３１は、図４に示すように、イメージセンサ部５１と、バッファ部５２と、Ａ／Ｄ変換部５３と、タイミング発生部５４と、駆動回路部５５から構成されている。
【００２８】
イメージセンサ部５１は、レンズを介して結像した画像を電気信号に変換し、バッファ部５２へ供給する。バッファ部５２は、イメージセンサ部５１から供給された画像データを所定レベルに増幅した後、Ａ／Ｄ変換部５３へ供給する。Ａ／Ｄ変換部５３は、画像データをデジタルデータに変換した後、タイミング発生部５４に供給する。
【００２９】
タイミング発生部５４（ＴＧ、Ｔｉｍｉｎｇ  Ｇｅｎｅｒａｔｏｒ）は、イメージセンサ部５１を駆動する駆動回路部５５を制御するためのタイミング信号（同期信号）を生成し、これを駆動回路部５５へ供給すると共に、このタイミング信号にしたがって、Ａ／Ｄ変換部５３から画像データを取り込み、データバスＡへ出力する。
【００３０】
つぎに、データバスＡに出力された画像データは、再生処理部３２（処理部）によって再生されて表示データに変換される。再生処理部３２により変換された表示データは、ＬＣＤ表示部２１に供給される。ＬＣＤ表示部２１は、表示データを表示する。この表示されている画像（以下、プレビュー画像という）は、イメージセンサ部５１によって撮像されている被写体の映像である。使用者は、プレビュー画像を眺めながら、撮像する被写体とそのタイミングを図ることができる。
【００３１】
ここで、再生処理部３２は、図４に示すように、メモリ４４と、制御部４５と、圧縮／伸張部６１と、ビデオ信号発生部６２と、ＶＲＡＭ６３と、Ｄ／Ａ変換部６４と、バッファ６５から構成されている。
【００３２】
メモリ４４は、例えば、ＤＲＡＭ（ダイナミックメモリ）であり、タイミング発生部５４が出力する画像データを一時記憶する。
【００３３】
制御部４５は、メモリ４４に一時記憶された画像データを１画面分の撮影が終了した時点で読み出し、輝度信号と色信号とを分離する色演算処理を行う。なお、色演算処理は、制御部４５ではなく、専用の色演算処理部におって行われる構成であっても良い。
【００３４】
また、圧縮／伸張部６１は、色演算処理により分離された輝度信号と色信号とを、例えばＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式等の圧縮方式により圧縮する一方、圧縮された画像データを伸張する処理を行う。メモリ４４は、圧縮された画像データ（輝度信号と色信号）を格納する。なお、圧縮された画像データは、他のメモリ（フラッシュメモリ）に格納される構成であっても良い。
【００３５】
ビデオ信号発生部６２（ＳＧ、Ｓｉｇｎａｌ  Ｇｅｎｅｒａｔｏｒ）は、圧縮／伸張部６１により伸張された輝度信号に色信号を重畳し、同期信号等を付加して、デジタルビデオ信号（表示データ）を作成し（画像データを表示データに変換し）、ＶＲＡＭ６３及びＤ／Ａ変換部６４へ出力する。
【００３６】
ＶＲＡＭ６３は、表示データを記憶する記憶媒体である。Ｄ／Ａ変換部６４は、ビデオ信号発生部６２が出力する表示データをアナログ信号に変換し、バッファ６５とドライバＩＣ２３を介してＬＣＤ表示部２１へ供給する。
【００３７】
このように構成される携帯電話装置１では、撮像部３１で被写体を撮像する場合、画像データの描画開始位置を初回（例えば、カメラアプリケーションが起動された時）のみ調整し、以降は描画開始位置処理を行わない場合がある。なお、以下では、再生処理部３２は、カメラ信号処理部１０１と、描画信号処理部１０２とから構成されているものとして説明する（図５を参照）。カメラ信号処理部１０１の機能は、概念的に、メモリ４４と、制御部４５と、圧縮／伸張部６１と、ビデオ信号発生部６２と、ＶＲＡＭ６３が協調して動作することにより発揮されるものとする。また、描画信号処理部１０２の機能は、概念的に、制御部４５と、Ｄ／Ａ変換部６４と、バッファ６５が協調して動作することにより発揮されるものとする。また、カメラ信号処理部１０１は、カウンタ部１０３から基準信号の供給を受ける構成になっている。ここで、基準信号とは、所定の周期でパルス信号が発生している信号である。
【００３８】
このようにして、カメラ信号処理部１０１に静電気が印加された場合には、撮像部３１から供給される同期信号が静電気に起因するノイズの影響を受けてしまう。そうすると、ＬＣＤ表示部２１には、同期ずれを生じたプレビュー画像が表示されることになる。
【００３９】
そこで、本実施例に係る携帯電話装置１は、撮像部３１と再生処理部３２との間に静電気等のノイズが印加された場合に、ＬＣＤ表示部２１に表示データが適切に表示されないことに伴う、使用者の違和感を低減することができる構成を有している。
【００４０】
ここで、上述した構成について詳細に説明する。携帯電話装置１は、上述したように、ＬＣＤ表示部２１（表示デバイス）と、撮像部３１（撮像部）と、再生処理部３２を備える。
撮像部３１は、所定の時間間隔毎に画像データを生成すると共に、画像データの生成毎に所定のタイミングで画像データに所定のデータを挿入する。再生処理部３２は、所定のデータが挿入された画像データを表示データに変換し、変換後の表示データをＬＣＤ表示部２１に表示するように制御する。
【００４１】
タイミング発生部５４は、所定の時間間隔毎に同期信号を生成している。また、撮像部３１では、タイミング発生部５４により生成される同期信号に基づいて、画像データの取り込みを行っている。
【００４２】
撮像部３１は、この同期信号を利用して、所定のタイミングで画像データに所定のデータを挿入する。したがって、描画信号処理部１０２で生成される表示データには、静電気等のノイズの影響が無ければ、同一の場所に所定のデータが挿入されていることになる。
【００４３】
よって、再生処理部３２は、表示データに挿入されている所定のデータの場所を確認することによって、静電気等の影響によって同期ずれが生じているかどうかを把握することできる。
【００４４】
例えば、再生処理部３２は、同期ずれが生じていることを把握した場合には、描画信号処理部１０２からカメラ信号処理部１０１に対して、リセット信号を送信し、当該リセット信号を受信したカメラ信号処理部１０１によりリセット処理（ブラックアウト等）を行う。これにより、同期ずれは、解消され、使用者に対して違和感のないプレビュー画像が提示される。
【００４５】
また、撮像部３１は、所定のデータが挿入された画像データが表示データに変換されてＬＣＤ表示部２１に表示される場合に、表示データにおける所定のデータに対応するデータが、ＬＣＤ表示部２１における所定の座標に表示されるように、所定の時間間隔毎に画像データを生成すると共に、画像データの生成毎に所定のタイミングで画像データに所定のデータを挿入する構成が好ましい。
【００４６】
また、所定の座標は、ＬＣＤ表示部２１における端部（周縁部）に対応する座標であることが好ましい。
【００４７】
例えば、表示データが、図６に示すように、横（Ｘ軸）２４０ドット、縦（Ｙ軸）３２０ドットで構成されるものとする。
撮像部３１は、表示データの四隅（左上（（Ｘ、Ｙ）＝（０、０））、左下（（Ｘ、Ｙ）＝（０、３２０））、右上（（Ｘ、Ｙ）＝（２４０、０））、右下（（Ｘ、Ｙ）＝（２４０、３２０）））に１ドットの所定のデータを挿入する。
また、例えば、撮像部３１は、所定のデータとして、表示データの四隅に黒色のデータ（Ｒ：Ｇ：Ｂ＝０：０：０）を挿入する。
【００４８】
このように構成されるので、再生処理部３２は、表示データの所定の座標位置に所定のデータが挿入されるタイミングで、所定のデータを画像データに挿入するので、表示データに挿入されている所定のデータが所定の座標位置に挿入されているか否かによって、簡易に静電気等の影響によって同期ずれが生じているかどうかを把握することできる。
【００４９】
例えば、再生処理部３２は、同期ずれが生じていることを把握した場合には、描画信号処理部１０２からカメラ信号処理部１０１に対して、リセット信号を送信し、当該リセット信号を受信したカメラ信号処理部１０１によりリセット処理（ブラックアウト等）を行う。これにより、同期ずれは、解消され、使用者に対して違和感のないプレビュー画像が提示される。
【００５０】
また、携帯電話装置１は、操作部１１を構成するいずれかのキーにリセット処理を命令するリセットボタンを割り当てておいても良い。このような構成の場合、携帯電話装置１は、プレビュー画像を見て、所定のデータの位置を確認し、同期ずれが生じていることを把握した使用者がリセットボタンを操作することができ、同期ずれかどうかを判断するための処理が不要となり、再生処理部３２の処理負担を軽減することができる。
【００５１】
また、再生処理部３２は、表示データにおける所定の座標に対応するデータを解析し、当該解析の結果に基づいて、所定のデータが挿入された画像データから表示データへの変換を抑制、すなわち破棄する構成が好ましい。
【００５２】
このような構成により、携帯電話装置１は、同期ずれを生じていない表示データをプレビュー画像としてＬＣＤ表示部２１に供給できる。よって、使用者に対して違和感のないプレビュー画像が提示される。
【００５３】
また、撮像部３１は、上述したように、タイミング発生部５４により所定の時間間隔毎に同期信号を生成する。
再生処理部３２は、所定のデータが挿入された画像データから表示データへの変換を抑制した後、同期信号に基づいて所定のデータが挿入された画像データと同期をとってから表示データに変換し、変換後の表示データをＬＣＤ表示部２１に表示する構成が好ましい。
【００５４】
このような構成により、携帯電話装置１は、同期ずれが生じた後、その画像データを破棄し、所定のリセット処理を行って、同期をとってから、画像データを表示データに変換するので、同期ずれを生じていない表示データをプレビュー画像としてＬＣＤ表示部２１に供給できる。よって、使用者に対して違和感のないプレビュー画像が提示される。
【００５５】
また、撮像部３１は、生成された画像データを分析し、当該分析の結果に基づいて、画像データに挿入する所定のデータを異ならせる構成が好ましい。
上述では、撮像部３１は、所定のデータとして、黒色のデータ（Ｒ：Ｇ：Ｂ＝０：０：０）を挿入すると説明したが、一律に黒色のデータを挿入するのではなく、元の画像データの輝度に近似したデータを所定のデータとして挿入する。
【００５６】
このように構成することによって、携帯電話装置１は、表示データに挿入されている所定のデータがあまり目立たず、使用者に対して違和感のないプレビュー画像を提示することができる。
【００５７】
例えば、撮像部３１は、明るめ画像データである場合には、白色データ（Ｒ：Ｇ：Ｂ＝２５５：２５５：２５５）を所定のデータとして挿入し、暗めの画像データである場合には、黒色データ（Ｒ：Ｇ：Ｂ＝０：０：０）を所定のデータとして挿入する。
【００５８】
また、携帯電話装置１は、上述では、表示データの四隅に１ドットの所定のデータを挿入すると説明したが、所定のデータの挿入場所は、四隅に限られず、表示データの中心に一つだけ挿入する構成であっても良いし、所定の場所に４ドット以上の所定のデータを挿入しても良い。また、所定のデータは、数ドットを連結させて、星型等の形状であっても良い。
【００５９】
また、携帯電話装置１は、上述したようにメモリ４４（記憶部）を備えている。再生処理部３２は、所定のデータが挿入された画像データを表示データに変換し、変換後の表示データを、ＬＣＤ表示部２１に表示すると共に、表示データにおける所定のデータに対応するデータを、当該データの座標に隣接する座標に対応するデータに置換して、置換後の表示データを記憶部に記憶する構成が好ましい。
【００６０】
具体的には、再生処理部３２は、使用者の操作によって、撮像画像を保存する旨の命令を受けた場合に、所定の撮像処理（開いているシャッター（不図示）を、一度閉じ、所定の時間だけ開いて、その後閉じる処理）を行って表示データを保存対象として取得し、その後、当該表示データにおいて、所定のデータが挿入されている座標部分に、隣接する座標部分の画素をコピーし、コピー後の表示データをメモリ４４に保存する。
【００６１】
例えば、再生処理部３２は、表示データが、図６に示すように、横（Ｘ軸）２４０ドット、縦（Ｙ軸）３２０ドットで構成されており、所定のデータが表示データの四隅（左上（（Ｘ、Ｙ）＝（０、０））、左下（（Ｘ、Ｙ）＝（０、３２０））、右上（（Ｘ、Ｙ）＝（２４０、０））、右下（（Ｘ、Ｙ）＝（２４０、３２０）））に挿入されている場合には、左上（０、０）に隣接する点（１、０）の画素を左上（０、０）にコピーし、左下（０、３２０）に隣接する点（１、３２０）の画素を左下（０、３２０）にコピーし、右上（２４０、０）に隣接する点（２３９、０）の画素を右上（２４０、０）にコピーし、右下（２４０、３２０）に隣接する点（２３９、３２０）の画素を右下（２４０、３２０）にコピーする。
【００６２】
したがって、携帯電話装置１は、所定のデータが挿入されていた部分が目立たないような表示データをメモリ４４に保存することができる。
【００６３】
また、再生処理部３２は、所定のデータが挿入されている、座標部分に隣接する複数の部分の画素を選択し、選択した画素の明度を合算した後、選択した画素数で除算することによって平均画素を生成し、当該平均画素を所定のデータに置換し、置換後の表示データをメモリ４４に保存する構成であっても良い。このような構成によれば、携帯電話装置１は、所定のデータが挿入されていた部分が一層目立たないような表示データをメモリ４４に保存することができる。
【００６４】
つぎに、使用者に対して違和感のないプレビュー画像を提示するための処理の流れについて、図７に示すフローチャートを参照して説明する。なお、以下では、使用者によって操作部１１に所定の操作が行われ、再生処理部３２によってカメラアプリケーションが起動されている状態を想定して説明する。また、表示データの四隅には、１ドットの黒色のデータが所定のデータとして挿入されるものとする。
【００６５】
ステップＳＴ１において、再生処理部３２は、同期信号にエラーがないかどうかを判断する。具体的には、カメラ信号処理部１０１は、カウンタ部１０３から供給される基準信号に基づいて、撮像部３１から供給されてくる同期信号にエラーが発生しているか、すなわち同期信号が所定のタイミングで供給されているかどうかを判断する。同期信号にエラーがないと判断した場合（Ｙｅｓ）には、ステップＳＴ３に進み、同期信号にエラーがあると判断した場合（Ｎｏ）には、ステップＳＴ２に進む。
【００６６】
ステップＳＴ２において、再生処理部３２は、カメラモードのリセット処理を行う。具体的には、カメラ信号処理部１０１は、撮像部３１から供給される同期信号がエラーを生じていた場合には、リセット処理（例えば、ブラックアウト）を行う。このリセット処理によって、同期ずれが解消する。
【００６７】
ステップＳＴ３において、再生処理部３２は、所定のデータの判定を行う。具体的には、描画信号処理部１０２は、内部バスを介してカメラ信号処理部１０１から供給された画像データを解析し、所定のタイミングで所定のデータが挿入されているかどうかを判定する。
【００６８】
ステップＳＴ４において、再生処理部３２は、四隅に相当する位置に所定のデータが挿入されているかどうかを判定する。具体的には、描画信号処理部１０２は、四隅に相当する位置の１ドットが黒色を示す明度（Ｒ：Ｇ：Ｂ＝０：０：０）になっているかどうかを判断する。所定のデータが所定の位置に挿入されていると判断した場合（Ｙｅｓ）には、ステップＳＴ５に進み、所定のデータが所定の位置に挿入されていない判断した場合（Ｎｏ）には、ステップＳＴ２に進む。例えば、同期ずれを生じている場合には、プレビュー画像は、図８に示すように、四隅ではない部分に所定のデータが挿入されたものになる。このような場合には、描画信号処理部１０２は、カメラ信号処理部１０１に対して、リセット信号を送信し、リセット処理を実行させる。
【００６９】
ステップＳＴ５において、再生処理部３２は、使用者の操作によって所定の撮像処理を行って、表示データをメモリ４４に保存する処理を行う。
【００７０】
したがって、携帯電話装置１は、所定の位置に所定のデータが挿入されていない場合には、同期ずれが生じていると判断し、描画信号処理部１０２からカメラ信号処理部１０１に対して、リセット信号を送信し、当該リセット信号を受信したカメラ信号処理部１０１によりリセット処理（ブラックアウト等）が行われる。このようにして、携帯電話装置１は、同期ずれを解消することができ、使用者に対して違和感のないプレビュー画像を提示し、同期ずれが解消された表示データの保存を可能にしている。
【００７１】
すなわち、携帯電話装置１は、撮像部３１と再生処理部３２との間に、例えば、静電気等のノイズが侵入した場合でも、ＬＣＤ表示部２１表示データが適切に表示されないことに伴う、使用者の違和感を低減することができる。
【００７２】
なお、本発明は、上述において説明した実施形態に限定されることなく、種々の態様で実施することができる。例えば、ＬＣＤ表示部２１は、表示デバイスの一例であって、様々な表示デバイスに適用できることはもちろんである。その他、本発明の趣旨の範囲内で、細部の構成を適宜、変更することが可能である。
【符号の説明】
【００７３】
１  携帯電話装置
３１  撮像部
３２  再生処理部
４４  メモリ
４５  制御部
５１  イメージセンサ部
５２  バッファ部
５３  Ａ／Ｄ変換部
５４  タイミング発生部
５５  駆動回路部
１０１  カメラ信号処理部
１０２  描画信号処理部
１０３  カウンタ部
【図１】
2011211355.tif 000003
【図２】
2011211355.tif 000004
【図３】
2011211355.tif 000005
【図４】
2011211355.tif 000006
【図５】
2011211355.tif 000007
【図６】
2011211355.tif 000008
【図７】
2011211355.tif 000009
【図８】
2011211355.tif 000010